(57)【特許請求の範囲】
【請求項１】
ウェビングの巻き取り軸を備えるリトラクターと、車両衝突時にガス発生器から発生したガス圧力で前記巻き取り軸に回転トルクを伝達して、前記巻き取り軸を前記ウェビングの引き込み方向に回転させるプリテンショナーとを備えるプリテンショナー付シートベルト用リトラクターにおいて、
前記プリテンショナーは、前記リトラクターの前記巻き取り軸を軸支する側壁に配設され、
前記プリテンショナーに内蔵された前記ガス発生器の端部には、点火制御装置から延びたワイヤーハーネスのコネクタを接続するためのコネクタ接続端子が設けられ、
前記リトラクター及びプリテンショナーは、車両のボディに設けた穴に、前記コネクタ接続端子が、ウェビングの車両前後方向にずれた位置で室内側を向くように格納されていることを特徴とするプリテンショナー付シートベルト用リトラクター。
【発明の詳細な説明】
【０００１】
【産業上の利用分野】
本発明は、緊急時にリトラクターの巻取り軸にシートベルトを巻き込むことにより、シートベルトの緩みを除去するプリテンショナーを備えたシートベルト用リトラクターに関する。
【０００２】
【従来の技術】
従来より、車両の乗員の身体を座席に安全に保持するためのシートベルト装置においては、乗員のシートベルト装着感を低減するためにリトラクターがシートベルトを巻き取る力を低くする傾向がある。これにより、乗員の身体に装着されたシートベルトのたるみが増加するため、車両衝突等の緊急時に大きな力が加わるとシートベルトが伸び出す量が増え、乗員の身体を効果的に拘束できない虞があった。そこで緊急時にシートベルトを巻取ってそのたるみを除去すべく、リトラクターの巻取り軸を巻取り方向へ瞬時に回転させるプリテンショナーを備えたプリテンショナー付シートベルト用リトラクターが使用されている。
【０００３】
【発明が解決しようとする課題】
しかし、従来のプリテンショナー付シートベルト用リトラクターは、特開平６−１５６８８４号公報又は特開平６−１５６１８７号公報に教示されるように、リトラクターの巻取り軸を巻取り方向へ瞬時に回転駆動させるガス発生器が、車両の前後方向又は上下方向に沿って配置されているので、ピンタイプのガス発生器を使用する場合には、点火制御装置から延びたワイヤーハーネスのコネクタを接続するためガス発生器に設けられたコネクタ接続端子が、車両の前後方向又は上下方向を向くことになる。更に、ガス発生器は室内側からみてボディーパネル、ウェビングの奥に配置される。このため、ガス発生器のコネクタ接続端子に点火制御装置のコネクタを接続する作業が非常に面倒になるという問題があった。
【０００４】
そこで、本発明の目的は上記課題を解消することであり、ガス発生器のコネクタ接続端子に、点火制御装置から延びるワイヤーハーネスのコネクタを容易に接続することが可能なプリテンショナー付シートベルト用リトラクターを提供することである。
【０００５】
【課題を解決するための手段】
本発明の上記目的は、ウェビングの巻き取り軸を備えるリトラクターと、車両衝突時にガス発生器から発生したガス圧力で前記巻き取り軸に回転トルクを伝達して、前記巻き取り軸を前記ウェビングの引き込み方向に回転させるプリテンショナーとを備えるプリテンショナー付シートベルト用リトラクターにおいて、前記プリテンショナーは、前記リトラクターの前記巻き取り軸を軸支する側壁に配設され、前記プリテンショナーに内蔵された前記ガス発生器の端部には、点火制御装置から延びたワイヤーハーネスのコネクタを接続するためのコネクタ接続端子が設けられ、前記リトラクター及びプリテンショナーは、車両のボディに設けた穴に、前記コネクタ接続端子が、ウェビングの車両前後方向にずれた位置で室内側を向くように格納されていることを特徴とするプリテンショナー付シートベルト用リトラクターによって達成することができる。
【０００６】
このプリテンショナー付シートベルト用リトラクターは、ガス発生器のコネクタ接続端子が室内側を向いているので、点火制御装置から延びたワイヤーハーネスのコネクタを接続する時、周囲に作業の邪魔になるものがなくなり、接続作業が非常に容易になる。
【０００７】
【発明の実施の形態】
以下、本発明に係るプリテンショナー付シートベルト用リトラクターの実施の形態について、図面を参照して説明する。
図１は本発明に係るプリテンショナー付シートベルト用リトラクターの正面図、図２は図１のＡ矢視図、図３は図１のＩＩＩ−ＩＩＩ断面図、図４は本発明に係るプリテンショナー付シートベルト用リトラクターの車両への取付状態を示す正面図である。
【０００８】
図１に示すように、本発明によるプリテンショナー付きシートベルト用リトラクター１は、ウェビング１１を巻き取り又は引き出し自在に巻回した巻き取りリール１２を備えている。巻き取りリール１２は、その巻き取り軸１３に連結された巻き取りバネ装置１４により、ウェビング１１が巻き取られる方向に常時付勢されている。又、ウェビング１１が所定の加速度以上の加速度で引き出されようとすると、緊急ロック機構１５により巻き取り軸１３の回転が阻止され、それ以上ウェビング１１が引き出されないようになっている。
【０００９】
更に、このプリテンショナー付きシートベルト用リトラクター１は、略コ字形状に形成されたリトラクターベース１６の一方のベース側壁１７に、巻き取り軸１３をウェビング１１の弛みが除去される方向に回転させるプリテンショナー１８が配設されている。
このプリテンショナー１８は、ガス発生器１９と、図示せぬクラッチ機構を介して巻き取り軸１３に回転力を伝達する駆動手段２１と、車両衝突時にガス発生器１９を作動させる制御装置（図示せず）とを備えている。
【００１０】
駆動手段２１は、図３に示すように、プリテンショナー１８の本体１８ａ．１８ｂ内に形成されたシリンダー１８ｃ内に移動可能に受容されたラック２１ａと該ラック２１ａに噛み合わされるピニオンギヤ２１ｂとを有しており、ガス発生器１９のガス圧によるラック２１ａの移動によりピニオンギヤ２１ｂを回転させ、図示せぬクラッチ機構を介して巻き取り軸１３に回転力を伝達するようになっている。
【００１１】
ガス発生器１９は、ピンタイプのものが使用されており、図２にも示すように自動車側の点火制御装置（図示せず）から延ばされたワイヤーハーネス２２のコネクタ２３を差し込むため、コネクタ接続部２４が室内側に向けて設けられている。
このプリテンショナー付シートベルト用リトラクター１においては、車両衝突時等におけるような極めて大きな減速度が生じると、図示しない点火制御装置がこの減速度を検知してガス発生器１９を点火する。点火されたガス発生器１９はガスを発生し、このガスが駆動手段２１に作用して巻き取り軸１３が回転して、ウェビング１１が所定の長さだけ巻き取られる。これによって、ウェビング１１の弛みが除去され、乗員を有効に拘束することができる。
【００１２】
このプリテンショナー付シートベルト用リトラクター１は、上述のように点火制御装置から延びたワイヤーハーネス２２のコネクタ２３を接続するため、ガス発生器１９に設けられたコネクタ接続端子２４が室内側、すなわち、車両の走行方向に対してほぼ直角な方向を向いているので、コネクタ２３の接続時に作業の邪魔になるものがなくなり、接続作業が非常に容易になる。
また、図４に示すように、車両のボディ３０に穴３１を設け、この穴３１にプリテンショナー付シートベルト用リトラクター１を格納すれば、コネクタ２３をコネクタ接続部２４に差し込むときに、ボディ３０及びウェビング１１と干渉することがなくなり、コネクタ２３の接続作業が容易になる。
【００１３】
【発明の効果】
以上説明したように、本発明のプリテンショナー付シートベルト用リトラクターは、ウェビングの巻き取り軸を備えるリトラクターと、車両衝突時にガス発生器から発生したガス圧力で前記巻き取り軸に回転トルクを伝達して、前記巻き取り軸を前記ウェビングの引き込み方向に回転させるプリテンショナーとを備えるプリテンショナー付シートベルト用リトラクターにおいて、前記プリテンショナーは、前記リトラクターの前記巻き取り軸を軸支する側壁に配設され、前記プリテンショナーに内蔵された前記ガス発生器の端部には、点火制御装置から延びたワイヤーハーネスのコネクタを接続するためのコネクタ接続端子が設けられ、前記リトラクター及びプリテンショナーは、車両のボディに設けた穴に、前記コネクタ接続端子が、ウェビングの車両前後方向にずれた位置で室内側を向くように格納されていることを特徴とするものである。
【００１４】
したがって、本発明のプリテンショナー付シートベルト用リトラクターによれば、点火制御装置のコネクタをガス発生器のコネクタ接続端子に接続するとき、作業の邪魔になるものがなくなり、接続作業が非常に容易になる。
【図面の簡単な説明】
【図１】本発明に係るプリテンショナー付シートベルト用リトラクターの正面図である。
【図２】図１のＡ矢視図である。
【図３】図１のＩＩＩ−ＩＩＩ断面図である。
【図４】本発明に係るプリテンショナー付シートベルト用リトラクターの車両への取付状態を示す正面図である。
【符号の説明】
１  プリテンショナー付シートベルト用リトラクター
１１  ウェビング
１２  巻き取りリール
１３  巻き取り軸
１４  巻き取りバネ装置
１５  緊急ロック装置
１８  プリテンショナー
１９  ガス発生器
２１  駆動手段
２２  ワイヤーハーネス
２３  コネクタ
２４  コネクタ接続端子
３０  ボディ
３１  穴
【図１】
0003793793.tif 000002
【図２】
0003793793.tif 000003
【図３】
0003793793.tif 000004
【図４】
0003793793.tif 000005